(57)【要約】【課題】  着用者が細身に見えるズボンを提供する。【解決手段】  ズボン１の前身頃２と後身頃３との幅は、渡り線の下３０ｃｍの位置（つまり、膝の辺りの位置）の横方向寸法Ｘで比較して、前身頃２が後身頃３に比して、８〜１２ｃｍ短くなるように形成される。これにより、着用者を前側から見たときに、前身頃２が細く、細身に見える。【選択図】  図１
2015052184.tif 000002
【特許請求の範囲】
【請求項１】
ズボンの前身頃と後身頃との幅は、渡り線の下３０ｃｍの位置の横方向寸法で比較して、前記前身頃が前記後身頃に比して、８〜１２ｃｍ短くなるように形成されることを特徴とするズボン。
【請求項２】
前記後身頃の股ぐり線における横方向寸法が、１４〜１９ｃｍの範囲にあることを特徴とする、請求項１に記載のズボン。
【発明の詳細な説明】
【技術分野】
【０００１】
この発明は、ズボン、特に細身に見えるズボンに関するものである。
【背景技術】
【０００２】
従来、ズボンにおいては、前身頃と後身頃との幅は、ニーライン（膝線）で比較して、前身頃が後身頃に比して、若干短くなるように形成されるのが一般的だった（例えば、非特許文献１参照）。
【先行技術文献】
【非特許文献】
【０００３】
【非特許文献１】「特許庁公報５８（１９８３）−４５〔３５０４〕周知・慣用技術集（紳士服・その一）」，日本国特許庁，昭和５８（１９８３）．３．１５，ｐ．３７
【発明の概要】
【発明が解決しようとする課題】
【０００４】
ところで、前記従来のズボンにあっては、前身頃と後身頃との幅の差は、それほど大きくなく、ズボンの着用者が細身に見えるというものではなかった。
【０００５】
この発明は、上記した従来の欠点を解決するためになされたものであり、その目的とするところは、着用者が細身に見えるズボンを提供することにある。
【０００６】
また、他の目的は、細身に見えながら、動きやすいズボンを提供することにある。
【課題を解決するための手段】
【０００７】
この発明に係るズボンは、前記目的を達成するために、次の構成からなる。すなわち、
請求項１に記載の発明に係るズボンは、ズボンの前身頃と後身頃との幅は、渡り線の下３０ｃｍの位置の横方向寸法で比較して、前記前身頃が前記後身頃に比して、８〜１２ｃｍ短くなるように形成される。
【０００８】
このズボンによると、前身頃と後身頃との幅が、渡り線の下３０ｃｍの位置の横方向寸法で比較して、前身頃が後身頃に比して、８〜１２ｃｍ短くなるように形成されており、これにより、着用者を前側から見たときに、前身頃が細く、細身に見える。
【０００９】
また、請求項２に記載の発明に係るズボンのように、請求項１に記載のズボンにおいて、前記後身頃の股ぐり線における横方向寸法が、１４〜１９ｃｍの範囲にあってもよい。こうして、後身頃の股ぐり線における横方向寸法を、大きくすることで、臀部まわりがゆったりとし、動きやすい。
【発明の効果】
【００１０】
この発明に係るズボンによれば、次の効果がある。
【００１１】
請求項１に記載されたズボンによれば、前身頃を後身頃に比して、その幅が、通常以上に短くなるように形成することで、着用者を前側から見たときに、前身頃が細く、細身に見える。
【００１２】
また、請求項２に記載されたズボンによれば、細身に見えながら、臀部まわりがゆったりとし、動きやすい。
【図面の簡単な説明】
【００１３】
【図１】この発明の一実施の形態の、前身頃および後身頃を展開して示す正面図である。
【図２】同じく、ズボンを正面に対し斜め上から見た斜視図である。
【図３】この発明の他の実施の形態の、図１相当図である。
【発明を実施するための形態】
【００１４】
以下、この発明に係るズボンを実施するための形態を図面に基づいて説明する。
【００１５】
図１〜図２は、本発明に係るズボンの一実施の形態を示す。図中符号１は、ズボンを示し、図示実施の形態においては、ズボン１は、紳士用パジャマのズボンからなる。２は、前記ズボン１の前身頃を示し、３は、前記ズボン１の後身頃を示す。
【００１６】
ここで、図１に示すように、ズボン１の前身頃２と後身頃３との幅は、渡り線４の下３０ｃｍの位置（つまり、膝の辺りの位置）の横方向寸法Ｘで比較して、前身頃２が後身頃３に比して、８〜１２ｃｍ（図示実施の形態においては、１０ｃｍ）短くなるように形成される。ここにおいて、渡り線４は、内股線５の上端５ａ（つまり、内股線５と股ぐり線６との交わる点）から、脇線７まで横に引いた線とする。そこで、この渡り線４の下３０ｃｍの位置で、内股線５から脇線７まで横に引いた線８の長さが、前記横方向寸法Ｘとなる。そして、その横方向寸法Ｘを、前身頃２側をＸ１とし、後身頃３側をＸ２とすると、Ｘ２からＸ１を引いた値が、８〜１２ｃｍとなる。すなわち、通常のズボンに比べて、前身頃側の幅を狭くし、後身頃側の幅を広く取っている。なお、符号９は、地の目線に相当する線を示す。
【００１７】
また、ズボン１は、後身頃３の股ぐり線６における横方向寸法Ｙが、１４〜１９ｃｍの範囲にある（図示実施の形態においては、約１８ｃｍとなっている）。ここで、寸法の測定にあたっては、パジャマのようにウエスト部分にゴム紐が入れられている場合には、そのゴム紐を取り除いて測定する。
【００１８】
次に、以上の構成からなるズボン１の作用効果について説明する。このズボン１によると、前身頃２と後身頃３との幅が、渡り線４の下３０ｃｍの位置の横方向寸法Ｘで比較して、前身頃２が後身頃３に比して、８〜１２ｃｍ（図示実施の形態においては、１０ｃｍ）短くなるように形成されている。このため、図２に示すように、着用者を前側から見たときに、前身頃２が細く、細身に見える。
【００１９】
すなわち、このズボン１によれば、前身頃２を後身頃３に比して、その幅が、通常以上に短くなるように形成することで、着用者を前側から見たときに、前身頃２が細く、細身に見えることとなる。ここで、この効果を得るためには、前記横方向寸法Ｘの差（Ｘ２−Ｘ１）を８ｃｍ以上とするのが好ましく、また、見栄えを損なわないようにするためには、１２ｃｍを越えないようにするのがよい。
【００２０】
また、後身頃３の股ぐり線６における横方向寸法Ｙを、１４〜１９ｃｍというように、大きくすることで、臀部まわりがゆったりとし、動きやすくなる。すなわち、このズボン１によれば、細身に見えながら、臀部まわりがゆったりとし、動きやすい。
【００２１】
なお、本発明は、上述した実施の形態に限定されるわけではなく、その他種々の変更が可能である。例えば、ズボン１は、紳士用パジャマのズボンでなくとも、図３に示す婦人用パジャマのズボンであってもよい。このズボン１にあっては、紳士用パジャマのズボンと同様に、渡り線４の下３０ｃｍの位置で比較して、前身頃２側の横方向寸法Ｘ１が、後身頃３側の横方向寸法Ｘ２に比して、１０ｃｍ短くなっている。そして、後身頃３の股ぐり線６における横方向寸法Ｙは、約１５ｃｍとなっている。
【００２２】
また、ズボン１は、パジャマのズボン以外に、室内着のズボン、スーツのズボン、作業衣のズボン、ジーパン、綿パン、その他のパンツ・スラックス類など、その他のズボンであってもよい。
【符号の説明】
【００２３】
１  ズボン
２  前身頃
３  後身頃
４  渡り線
６  股ぐり線
Ｘ  渡り線の下３０ｃｍの位置の横方向寸法
Ｙ  股ぐり線における横方向寸法
【図１】
2015052184.tif 000003
【図２】
2015052184.tif 000004
【図３】
2015052184.tif 000005